(57)【要約】【課題】一般のゴルフ愛好家が使用するパター用ウエイト１０であって、無意識のうちに最低限度の安定したスウィングができるものを提供する。【解決手段】  グリップの端面に位置する帯状の頂面部２０と、グリップの端部周面に位置する帯状の周面部３０とを備え、頂面部２０の一端部と周面部３０の一端が結合され、頂面部２０の他端部と周面部３０の他端部が結合され、全体が一体に形成されている。【選択図】図１
2009279236.tif 000002
【特許請求の範囲】
【請求項１】
パターのグリップの端部に装着されるウエイトであって、
グリップの端面に位置する帯状の頂面部とグリップの端部周面に位置する帯状の周面部とを備え、
前記頂面部の一端部と前記周面部の一端部とが結合され、前記頂面部の他端部と前記周面部の他端部とが結合されることにより、全体が一体に形成されていることを特徴とするパター用ウエイト。
【請求項２】
前記頂面部の幅Ｗと長さＬとの比Ｗ／Ｌが、０．５以下であることを特徴とする請求項１に記載のパター用ウエイト。
【請求項３】
前記周面部の長さが、対応するグリップの全周長の０．６５倍以下であることを特徴とする請求項１又は２に記載のパター用ウエイト。
【請求項４】
前記頂面部がその裏面に突起を備え、グリップ端面に設けられたマーカー用の孔に前記突起を挿入することができることを特徴とする請求項１乃至３の何れかに記載のパター用ウエイト。
【請求項５】
鉛又は鉛を含む合金が、材質として用いられていることを特徴とする請求項１乃至４の何れかに記載のパター用ウエイト。
【請求項６】
請求項１乃至５に記載のパター用ウエイトの使用方法であって、前記頂面部がヘッドの打球面と平行に位置し、前記周面部が前記ヘッドの前記打球面とは反対の側に位置するように装着することを特徴とするパター用ウエイトの使用方法。
【発明の詳細な説明】
【技術分野】
【０００１】
本発明は、ゴルフのパター用ウエイトに関し、特にグリップの端部に取り付けられるパター用ウエイトに関する。また、その使用方法に関する。
【背景技術】
【０００２】
従来、ゴルフクラブのウエイト調整は、主にクラブヘッドの重心位置を変えることにより行われている。例えば、特許文献１には、クラブヘッドの重心位置を変えることによりクラブの慣性モーメントを変え、これによって打球感を向上して打球の方向性を安定させることが紹介されている。また、特許文献２には、パター全体の重心位置を全長に対して一定の範囲とすることにより、ヘッドのふらつきを防止して手元を安定させることが紹介されている。
【０００３】
しかし、重心位置を調整してスイングを安定させることができるのは、既に相当の腕前を備えたゴルファーであり、特にプロゴルファーである。一般のゴルフ愛好家は、練習量もプレーの回数も少ないので、或いは運動能力が低いために、プロゴルファーが備えているような微細な感覚を持ち合わせていない。そして、微妙な重心の変化を感じ取ることさえ困難である。
【０００４】
また、パターの選定や実際のスイングに関しては多くの解説書や雑誌が出版されており、ＤＶＤ等による動画でも紹介されている。しかしながら、これらの多くはプロゴルファーの指導によるものであり、プロを目指す人や優れた運動能力を備えた人にとっては参考になるものの、一般の愛好家には直ちに役立つものではない。指導者は、一つのスイングに対して数多くのチェックポイントを要求するが、その一つを実行することさえ難しく、実際のプレーにおいて多くのチェックポイントを間違えないで実行することなど不可能である。
【特許文献１】特開２００６−７５４３０号公報
【特許文献２】特開２００６−１４９４６号公報
【発明の開示】
【発明が解決しようとする課題】
【０００５】
本発明は上記の課題を解決したものであり、一般のゴルフ愛好家が使用することを目的とするパター用ウエイトを提供することを目的とする。そして、一般のゴルフ愛好家がこれを使用することにより、無意識のうちに最低限度の安定したスイングをすることが可能であり、また、無意識のうちに概ね正しい方向にボールを打つことができることを目的としている。
【課題を解決するための手段】
【０００６】
上記の課題を解決するために、本発明の請求項１に係るパター用ウエイトは、パターのグリップの端部に装着されるウエイトであって、グリップの端面に位置する帯状の頂面部とグリップの端部周面に位置する帯状の周面部とを備え、前記頂面部の一端部と前記周面部の一端部とが結合され、前記頂面部の他端部と前記周面部の他端部とが結合されることにより、全体が一体に形成されている手段を採用している。
【０００７】
また、本発明の請求項２に係るパター用ウエイトは、請求項１に記載のパター用ウエイトであって、前記頂面部の幅Ｗと長さＬとの比Ｗ／Ｌが、０．５以下である手段を採用している。また、本発明の請求項３に係るパター用ウエイトは、請求項１又は２に記載のパター用ウエイトであって、前記周面部の長さが、対応するグリップの全周長の０．６５倍以下である手段を採用している。
【０００８】
また、本発明の請求項４に係るパター用ウエイトは、請求項１乃至３の何れかに記載のパター用ウエイトであって、前記頂面部がその裏面に突起を備え、グリップ端面に設けられたマーカー用の孔に前記突起を挿入することができる手段を採用している。また、本発明の請求項５に係るパター用ウエイトは、請求項１乃至４の何れかに記載のパター用ウエイトであって、鉛又は鉛を含む合金が、材質として用いられている手段を採用している。
【０００９】
また、本発明の請求項６に係るパター用ウエイトの使用方法は、請求項１乃至５に記載のパター用ウエイトの使用方法であって、前記頂面部がヘッドの打球面と平行に位置し、前記周面部が前記ヘッドの前記打球面とは反対の側に位置するように装着する手段を採用している。
【発明の効果】
【００１０】
本発明のパター用ウエイトは、上記の手段を採用することによって、一般のゴルフ愛好家が使用するのに最適なパターとすることができる。すなわち、これを正しく使用することにより、無意識のうちに概ね安定したスイングをすることが可能である。また、無意識のうちに概ね正しい方向にボールを打つことが可能である。したがって、安定したスコアを得ることができる。
【発明を実施するための最良の形態】
【００１１】
以下、添付の図１〜５を参照して、本発明の実施の形態を説明する。図１は本発明のパター用ウエイト１０を示す斜視図であり、図２（ａ）は平面図、（ｂ）はＡ−Ａ矢視図、（ｃ）はＢ−Ｂ矢視図である。また、図３（ａ）は本発明のパター用ウエイト１０をパターのグリップ６０に装着した状態を示す平面図、（ｂ）はＣ−Ｃ矢視図である。
【００１２】
本発明のパター用ウエイト１０は、パターのグリップ６０に装着されるウエイトであって、グリップ端面の中央に位置するように形成される帯状の頂面部２０とグリップの端部周面に位置するように形成される帯状の周面部３０とを備えている。そして、頂面部２０の一端部と周面部３０の一端部とが結合され、同時に頂面部２０の他端部と周面部３０の他端部が結合されて全体が一体に形成されている。
【００１３】
頂面部２０の幅Ｗと長さＬとの比は、グリップ６０の断面形状により選定されるが、少なくとも０．２〜０．６の範囲であり、０．５以下であることが好ましい。また、周面部３０の長さは、対応するグリップ６０の全周長に対して、少なくとも０．５〜０．７倍の範囲であり、０．６５倍以下であることが好ましい。
【００１４】
本発明のパター用ウエイト１０をパターのグリップ６０に装着するときは、グリップ６０の端面に設けられたマーカー保持用の孔を利用して、しっかりと固定できることが好ましい。このため、頂面部２０は、その裏面に突起４０を備えていることが好ましい。突起４０をグリップ端面の孔に挿入することにより、グリップ６０にウエイト１０をしっかりと固定することができる。
【００１５】
本発明のパター用ウエイト１０の重量は、１０〜３０ｇ程度であることが好ましく、比重の大きな素材を用いることが好ましく、例えば真鍮、鉛、銀、銅等の金属素材を用いることができる。鉛又は鉛を含む合金は、比較的安価で比重が大きく、またグリップ６０の端部形状に馴染む加工を施すことができるので、特に好ましい。
【００１６】
次に、本発明のパター用ウエイト１０の使用方法及び作用効果について説明する。図４に示すように、本発明のパター用ウエイト１０は、パターの打球面６１に対して頂面部２０が平行に位置するように装着する。同時に、周面部３０は、打球面６１とは反対側に位置するように装着する。
【００１７】
頂面部２０がパターの打球面６１と平行に位置するので、打球面６１を気に掛けることなく、打つ方向に対して頂面部２０が直角になるように気を付ければ、ボールは予定の方向に進むことになる。すなわち、一般のゴルフ愛好家にとっては、スウィングの重要なチェックポイントを非常に簡単に行うことが可能であり、思わぬ方向にボールを打つことがなくなる。
【００１８】
パターのスウィングは、図５（ａ）に示すように、パターの打球面６１が体の中心Ｐを軸として一定の半径で回転するように行われることが好ましい。また、体の中心Ｐ、グリップＧ及び打球面６１が一直線であることが好ましい。このことは、誰でも簡単に理解できるのであるが、一般のゴルフ愛好家にとっては非常に難しいことである。
【００１９】
その理由は、パターの打球面６１は、グリップＧから遠く離れていると共に、相当な重量を備えている。したがって、図５（ｂ）に示すように、スウィングの際にスウィングの方向に、グリップＧを支点として回転し、ヘッドの打球面６１の位置が、体の中心ＰとグリップＧを結ぶ直線から外れるからである。
【００２０】
特に、パターでは、ヘッドの重心が打球面６１の反対側に、シャフトの軸線から離れていることが多いために、グリップＧでの回転が起こりやすいのである。このために、パターを使用する際の距離感が掴めず、トップやダフリを起こすことになるのである。
【００２１】
本発明のパター用ウエイト１０は、周面部３０を打球面６１とは反対側に位置するように装着することにより、グリップＧを支点とする回転を防ぐことができる。その理由は、力学的に非常に難しい話となるのであるが、簡単に言えば、周面部３０の重さがヘッドの重さを打ち消す方向に働くためである。このため、ヘッドの重心による作用が解消されてグリップＧを支点とする回転が起こり難くなるためである。
【００２２】
したがって、一般のゴルフ愛好家が本発明のパター用ウエイトを使用することにより、グリップＧでの回転がなくなり、図５（ａ）に示す正しいスウィングが無意識のうちにできることになる。したがって、距離感を掴みやすく、トップやダフリを起こさないことになる。
【図面の簡単な説明】
【００２３】
【図１】本発明のパター用ウエイトを示す斜視図である。
【図２】（ａ）は同パター用ウエイトの平面図、（ｂ）は同パター用ウエイトのＡ−Ａ矢視図、（ｃ）は同パター用ウエイトのＢ−Ｂ矢視図である。
【図３】（ａ）は同パター用ウエイトをパターのグリップに装着した状態を示す平面図、（ｂ）は同パター用ウエイトをパターのグリップに装着した状態を示すＣ−Ｃ矢視図である。
【図４】同パター用ウエイトの使用方法を示す説明図である。
【図５】（ａ）及び（ｂ）はパターのスウィングを示す説明図である。
【符号の説明】
【００２４】
１０      パター用ウエイト
２０      頂面部
３０      周面部
４０      突起
６０      グリップ
６１      打球面
７０      ボール
【図１】
2009279236.tif 000003
【図２】
2009279236.tif 000004
【図３】
2009279236.tif 000005
【図４】
2009279236.tif 000006
【図５】
2009279236.tif 000007